(57)【要約】発熱素子(100)、電子タバコ、および発熱素子(100)の形成方法を提供する。発熱素子(100)は発熱部(110)と接続部(120)とを備え、接続部(120)発熱部(110)の両端に沿って延び、第1の接続端(121)と第2の接続端(122)を形成する。第1の接続端(121)および第2の接続端(122)はそれぞれ駆動回路に電気的に接続され、また第1の接続端(121)および第2の接続端(122)は発熱部(110)と一体に形成されている。第1の接続端(121)および第2の接続端(122)は各々メッキ層を有し、メッキ層は第1の接続端(121)および第2の接続端(122)の外周面を覆っている。発熱素子(100)は一体的に設計され、メッキ層は発熱素子(100)上に電気メッキにより形成されている。したがって、発熱素子(100)の生産効率が改善され、コストが低減され、発熱素子(100)の大量生産においても、安定した抵抗値とばらつきのない品質が得られる。  【選択図】図３
2016507137.tif 000002
【特許請求の範囲】
【請求項１】
発熱部と接続部とを備え、該接続部は前記発熱部の両端に沿って延在して第１の接続端および第２の接続端を形成しており、前記第１の接続端および前記第２の接続端はそれぞれ駆動回路に接続されている発熱素子であって、前記第１の接続端および前記第２の接続端は前記発熱部と一体に形成され、前記第１の接続端および前記第２の接続端は各々低抵抗のメッキ層により外面を覆われていることを特徴とする、発熱素子。
【請求項２】
前記発熱部、前記第１の接続端および前記第２の接続端は円形の断面を有する合金材料で形成され、前記第１の接続端および前記第２の接続端はそれぞれ前記発熱部の両端部に沿って軸方向に延在し、前記第１の接続端および前記第２の接続端の軸方向の延在距離は同じかまたは異なり、螺旋形状を有する前記発熱部の対応する端部に位置するよう形成され、前記メッキ層は前記第１の接続端および前記第２の接続端を均一に覆うように前記第１の接続端および前記第２の接続端の径方向外側に向かって形成され、前記発熱部と前記第１の接続端との界面の断面寸法は、前記発熱部と前記第２の接続端の界面の断面寸法と等しい、請求項１に記載の発熱素子。
【請求項３】
前記発熱部、前記第１の接続端および前記第２の接続端は、直線形状の合金材料により、多角形断面を有する帯状に形成され、前記第１の接続端および前記第２の接続端は前記発熱部の両端から水平方向に同じかまたは異なる距離にわたり軸方向に延在し、螺旋形状を有する前記発熱部の対応する端部に位置するよう形成され、前記メッキ層は前記第１の接続端および前記第２の接続端を均一に覆うように径方向外側に向かって形成され、前記発熱部と前記第１の接続端との界面の断面寸法は前記発熱部と前記第２の接続端の界面の断面寸法と等しい、請求項１に記載の発熱素子。
【請求項４】
前記発熱部は、ニクロム、エコノメット、アルディローム、コンスタンタン合金を含む複数の合金の一つにより形成されている、請求項１に記載の発熱素子。
【請求項５】
前記メッキ層は、金、銀、銅、および錫のうち一つにより形成されている、請求項４に記載の発熱素子。
【請求項６】
前記メッキ層は、低抵抗の合金により形成されている、請求項４に記載の発熱素子。
【請求項７】
電子タバコであって、請求項１〜６のいずれかに記載の発熱素子が前記電子タバコの霧化室に備えられている、電子タバコ。
【請求項８】
発熱素子の形成方法であって、
Ａ．発熱部と、該発熱部の両端に沿って延在する第１の接続端および第２の接続端を有する接続部とを一体に形成し、
Ｂ．前記第１の接続端および前記第２の接続端の外面にそれぞれ低抵抗の被膜をメッキ形成し、
Ｃ．前記第１の接続端および前記第２の接続端をそれぞれ駆動回路に接続する工程を含む形成方法。
【請求項９】
前記工程Ａは、
Ａ１．高抵抗の合金材料を選択し、
Ａ２．選択した合金材料を個片に切断し、
Ａ３．前記第１の接続端および前記第２の接続端を前記発熱部の両端にそれぞれ位置するように、前記発熱部、前記第１の接続端および前記第２の接続端を含む領域に、切断された合金材料の個片を分割する工程をさらに含む、請求項８に記載の発熱素子の形成方法。
【請求項１０】
前記工程Ｂは、
Ｂ１．低抵抗の材料を用いて前記第１の接続端および前記第２の接続端に電気メッキを行い、前記第１の接続端および前記第２の接続端の外面にメッキ層を均一に形成し、
Ｂ２．電気メッキされた合金材料に曲げ加工を行って前記発熱部を螺旋形状に形成し、前記第１の接続端および前記第２の接続端を前記螺旋状発熱部の両端部にそれぞれ対応させ、前記第１の接続端と前記螺旋状発熱部の対応する端部との距離を、前記第２の接続端と前記螺旋状発熱部の対応する端部との距離と同じかまたは異なるよう形成する工程をさらに含む、請求項９に記載の発熱素子の形成方法。
【発明の詳細な説明】
【技術分野】
【０００１】
本発明は、喫煙セットの技術分野に関し、より具体的には発熱素子、発熱素子を使用した電子タバコ、および発熱素子の形成方法に関する。
【背景技術】
【０００２】
電子タバコの発熱素子は発熱部と接続部とを備え、発熱部は一般に高抵抗合金の発熱材（例えばニクロム、アルディローム、コンスタンタン合金など）からなり、発熱部は通電されると喫煙液を霧化して喫煙効果を生み出すものである。発熱素子の接続部は駆動回路との電気的接続に用いられる。接続部は一般に銅の導電体からなり、発熱部に溶接またはかしめにより接合される。例えば、図１は発熱部１と接続部２がかしめ接合された状態を示し、図２は発熱部１と接続部２が溶接により接合された状態を示す。また、中国特許出願第２０１０２０２８０８６１.７号「電子タバコの発熱装置」においては、発熱ワイヤ（発熱部に相当）と導電ワイヤ（接続部に相当）とがかしめ接合されている。
【０００３】
しかしながら、上記の溶接またはかしめ接合は、発熱素子の加工に複雑な工程を要し、量産時に発熱素子の抵抗値にばらつきが出やすい。しかも、発熱素子の溶接個所は酸化しやすく、発熱素子の溶接における接触抵抗値は比較的高くなる。
【発明の概要】
【０００４】
本発明の目的は、従来技術による電子タバコの発熱素子における複雑な加工工程や抵抗のばらつきといった問題点を解消するため、発熱素子、電子タバコ、および発熱素子の形成方法を提供するものである。
【０００５】
上記の技術的課題を解決するため本発明は、発熱部と接続部とを備え、該接続部は前記発熱部の両端に沿って延在して第１の接続端および第２の接続端を形成しており、前記第１の接続端および前記第２の接続端はそれぞれ駆動回路に接続されている発熱素子であって、前記第１の接続端および前記第２の接続端は前記発熱部と一体に形成され、前記第１の接続端および前記第２の接続端は各々低抵抗のメッキ層により外面を覆われている、発熱素子を提供する。
【０００６】
本発明の発熱素子において、前記発熱部、前記第１の接続端および前記第２の接続端は円形の断面を有する合金材料で形成され、前記第１の接続端および前記第２の接続端はそれぞれ前記発熱部の両端部に沿って軸方向に延在し、前記第１の接続端および前記第２の接続端の軸方向の延在距離は同じか又は異なり、螺旋形状を有する前記発熱部の対応する端部に位置するよう形成され、前記メッキ層は前記第１の接続端および前記第２の接続端を均一に覆うように前記第１の接続端および前記第２の接続端の径方向外側に向かって形成され、前記発熱部と前記第１の接続端との界面の断面寸法は前記発熱部と前記第２の接続端の界面の断面寸法と等しくてもよい。
【０００７】
本発明の発熱素子において、前記発熱部、前記第１の接続端および前記第２の接続端は、直線形状の合金材料により、多角形断面を有する帯状に形成され、前記第１の接続端および前記第２の接続端は前記発熱部の両端から水平方向に同じかまたは異なる距離にわたり軸方向に延在し、螺旋形状を有する前記発熱部の対応する端部に位置するよう形成され、前記メッキ層は前記第１の接続端および前記第２の接続端を均一に覆うように径方向外側に向かって形成され、前記発熱部と前記第１の接続端との界面の断面寸法は前記発熱部と前記第２の接続端の界面の断面寸法と等しくてもよい。
【０００８】
本発明の発熱素子において、前記発熱部は、ニクロム、エコノメット、アルディローム、コンスタンタン合金を含む複数の合金の一つにより形成されていてもよい。
【０００９】
本発明の発熱素子において、前記メッキ層は、金、銀、銅、および錫のうち一つにより形成されていてもよい。
【００１０】
本発明の発熱素子において、前記メッキ層は、低抵抗の合金により形成されていてもよい。
【００１１】
本発明はまた、電子タバコであって、上記各項の発熱素子が前記電子タバコの霧化室に備えられている。
【００１２】
本発明はまた、下記のステップを備える発熱素子の形成方法を提供する：
Ａ．発熱部と、該発熱部の両端に沿って延在する第１の接続端および第２の接続端を有する接続部とを一体に形成し、
Ｂ．前記第１の接続端および前記第２の接続端の外面にそれぞれ低抵抗の被膜をメッキ形成し、
Ｃ．前記第１の接続端および前記第２の接続端をそれぞれ駆動回路に接続する。
【００１３】
前記発熱素子の形成方法において、ステップＡは以下の工程をさらに含んでもよい：
Ａ１．高抵抗の合金材料を選択し、
Ａ２．選択した合金材料を個片に切断し、
Ａ３．前記第１の接続端および前記第２の接続端を前記発熱部の両端にそれぞれ位置するように、前記発熱部、前記第１の接続端および前記第２の接続端を含む領域に、切断された合金材料の個片を分割する。
【００１４】
前記発熱素子の形成方法において、ステップＢは以下の工程をさらに含んでもよい：
Ｂ１．低抵抗の材料を用いて前記第１の接続端および前記第２の接続端に電気メッキを行い、前記第１の接続端および前記第２の接続端の外面にメッキ層を均一に形成し、
Ｂ２．電気メッキされた合金材料に曲げ加工を行って前記発熱部を螺旋形状に形成し、前記第１の接続端および前記第２の接続端を前記螺旋状発熱部の両端部にそれぞれ対応させ、前記第１の接続端と前記螺旋状発熱部の対応する端部との距離を、前記第２の接続端と前記螺旋状発熱部の対応する端部との距離と同じかまたは異なるよう形成する。
【００１５】
本発明を実施することにより、次のような効果を得ることができる。本発明による発熱素子は、溶接やかしめなどの複雑な技術を用いることなく、一体に設計されている。メッキ層は電気メッキにより形成されているので、電子タバコの生産効率が大きく改善され、量産された発熱素子において安定した抵抗値が得られるため、大量生産によってもばらつきのない品質が得られる。さらに、メッキ層は低抵抗の金属または合金で形成されているので、発熱素子の接続部は充分に低い抵抗値を有する。
【図面の簡単な説明】
【００１６】
【図１】従来技術による発熱部と接続部のかしめ接合を示す模式図である。
【図２】従来技術による発熱部と接続部の溶接接合を示す模式図である。
【図３】本発明の好適な実施形態による発熱素子の構造を示す模式図である。
【図４】曲げ加工前の発熱素子の構造を示す模式図である。
【図５】電気メッキ前の発熱素子の構造を示す模式図である。
【図６】本発明の別の実施形態を示す模式図である。
【図７】本発明による電子タバコを示す模式図である。
【発明を実施するための形態】
【００１７】
図３を参照すると、本発明による発熱素子１００は発熱部１１０と接続部１２０とを備え、接続部１２０は発熱部１１０の両端から延在して第１の接続端１２１と第２の接続端１２２とを形成し、また接続部１２０は発熱部１１０に電力を供給するよう駆動回路（不図示）に電気的に接続されている。発熱部１１０は通電されると喫煙液を霧化するものである。第１の接続端１２１および第２の接続端１２２は各々、接続端１１１、１２２の外周面を覆うメッキ層１２３を有し、当該メッキ層１２３は低抵抗の単一金属または低抵抗の合金の電気メッキにより形成されている。
【００１８】
本発明においては、発熱部１１０、第１の接続端１２１、および第２の接続端１２２は高抵抗の同じ合金材料、例えばニクロム、エコノメット、アルディローム、または６Ｊ４０やＣｒ２０Ｎｉ８０などのコンスタンタン合金から一体に形成されている。
【００１９】
本実施形態において、発熱部１１０、第１の接続端１２１、および第２の接続端１２２はすべてフィラメント状であり、好ましくは同一材料のワイヤストックから形成されている。発熱部１１０は螺旋形状に曲げ加工されており、第１の接続端１２１および第２の接続端１２２は発熱部１１０の両端から延びるように形成されている。
【００２０】
具体的には、本発明の好適な実施形態による発熱素子において、発熱部１１０、第１の接続端１２１、および第２の接続端１２２は合金材料から形成され円形の断面を有し、第１の接続端１２１および第２の接続端１２２は発熱部１１０の両端からそれぞれ軸方向に延在し、その延在距離は同じかまたは異なっており（異なる場合には二つの例がある：一つは第１の接続端１２１の延在距離が第２の接続端１２２の延在距離より長い場合、もう一つは第２の接続端１２２の延在距離が第１の接続端１２１の延在距離より長い場合である）、螺旋状発熱部１１０の両端にそれぞれ対応するよう形成されている。メッキ層１２３は第１および第２の接続端１２１、１２２を均一に覆うように径方向外側に向かって形成されており、発熱部１１０と第１の接続端１２１との界面の断面寸法は、発熱部１１０と第２の接続端１２２との界面の断面寸法と等しくなっている。
【００２１】
メッキ層１２３は、金、銀、銅、錫などの低抵抗金属、またはコルモノイやランタン・アルミニウム合金などの合金からなる低抵抗の材料を電気メッキすることにより形成され、本発明においては抵抗が２.５Χ１０-8Ω未満の材料を用いることとする。接続部１２０の抵抗値は、低抵抗のメッキ層１２３が形成されているため、非常に低くなっている。図３および図４に示すように、メッキ層１２３は発熱素子１００を曲げ加工する前に電気メッキにより形成することができる。本実施形態では、第１の接続端１２１、１２２の外面全体がメッキ層１２３によって覆われる。
【００２２】
本発明の好適な実施形態では、第１の接続端１２１、１２２の外面がメッキ層１２３によって、接続端１２１、１２２の双方において同じ厚さで均一に覆われる。メッキ層１２３と駆動回路（不図示）の溶接位置は固定されておらず、そのため接続部１２０と駆動回路の間の接触抵抗を安定させることができ、メッキ層１２３が駆動回路に溶接される位置が異なっていても、接続部１２０と駆動回路の間の接触抵抗は変動することがない。
【００２３】
本発明による発熱素子１００の形状は限定されない。発熱素子１００はフィラメント状、フレーク状または帯状でもよく、また断面形状は円形、楕円形、多角形（三角や矩形を含む）、あるいはどのような幾何形状でもよい。図６に示す例では、発熱素子１００はすべてフレーク状の発熱部１１０、第１の接続端１２１、および第２の接続端１２２を備え、メッキ層１２３は第１および第２の接続端１２１、１２２を覆っている。
【００２４】
さらに、本発明の別の実施形態による発熱素子では、発熱部１１０、第１の接続端１２１、および第２の接続端１２２は、合金材料から、多角形状の断面（矩形、三角形、六角形など）を有する帯状に形成されており、第１の接続端１２１および第２の接続端１２２は発熱部１１０の両端からそれぞれ水平方向に延在し、その延在距離は同じか、または二つの態様で異なっており（異なる場合には二つの例がある：一つは第１の接続端１２１の延在距離が第２の接続端１２２の延在距離より長い場合、もう一つは第２の接続端１２２の延在距離が第１の接続端１２１の延在距離より長い場合である）、螺旋状発熱部１１０の両端にそれぞれ対応するよう形成されている。メッキ層１２３は第１および第２の接続端１２１、１２２を均一に覆うように外周面に形成されており、発熱部１１０と第１の接続端１２１との界面の断面寸法は、発熱部１１０と第２の接続端１２２との界面の断面寸法と等しくなっている。
【００２５】
本発明はまた、上記の実施形態による発熱素子１００を用いた電子タバコを開示する。具体的には、前記電子タバコはシガレットホルダ２００、シガレットパイプ３００、およびシガレットパイプ３００の一端部に取り付けられたランプキャップ３１０を備える。シガレットパイプ３００にはバッテリー３２０が装填されている。本例では、電子タバコの構造の詳細な説明は省略する。
【００２６】
一端にシガレットホルダキャップ２２０を有するシガレットホルダ２００には霧化室２１０が設けられ、発熱素子１００は霧化室２１０内のシガレットホルダキャップ２２０側に設けられ、接続部１２０は霧化室２１０内のバッテリー３１０側に設けられている。接続部１２０の両端部はそれぞれ、溶接により駆動回路と電気的に接続されている。駆動回路とバッテリー３１０とは電気的に接続されている。接続部１２０を覆うメッキ層１２３の存在により、接続部１２０と電子タバコの他の部分とは、比較的容易に溶接できる。
【００２７】
本発明はまた、下記のステップを備える電子タバコ用の発熱素子の形成方法を提供する。
【００２８】
発熱部１１０と接続部１２０とを一体に形成する。接続部１２０は、第１の接続端１２１と第２の接続端１２２とを含む。第１の接続端１２１と第２の接続端１２２は、発熱部１１０の両端に沿って延在する。
【００２９】
第１および第２の接続端１２１、１２２の外面にそれぞれ低抵抗のメッキ層１２３を形成する。
【００３０】
第１および第２の接続端１２１、１２２をそれぞれ駆動回路に接続する。接続方法は溶接、かしめ、あるいは端子または固定具を用いた接続でもよく、具体的な接続方法は当該分野で周知の方法でよいので詳細な説明は省略する。
【００３１】
電子タバコ用の発熱素子の具体的な加工方法を、本発明の好適な実施形態に従い、さらに詳しく以下のとおり説明する。
【００３２】
Ｓ１．例えばニクロム、エコノメット、アルディローム、コンスタンタン合金などの高抵抗の合金材料を選択する。これらの多くは、フィラメント状またはフレーク状の汎用ワイヤストックであり、代表的には６Ｊ４０やＣｒ２０Ｎｉ８０などのコンスタンタン合金を利用できる。
【００３３】
Ｓ２．選択した合金材料を切断する。図５に示すとおり、曲げ加工前の発熱素子１００と同じ長さになるように合金材料を個片に切断する。
【００３４】
Ｓ３．切断された合金材料の個片を、発熱部１１０、第１の接続端１２１、および第２の接続端１２２とに分割し、第１の接続端１２１および第２の接続端１２２の外面にメッキ層１２３を電気メッキにて形成する。
【００３５】
Ｓ４．電気メッキされた合金材料に曲げ加工を行って発熱部１１０を螺旋形状に形成し、第１の接続端１２１および第２の接続端１２２を螺旋状発熱部１１０の両端部にそれぞれ対応させ、第１の接続端１２１と螺旋状発熱部１１０の対応する端部との距離を、第２の接続端１２２と螺旋状発熱部１１０の対応する端部との距離と等しくする。
【００３６】
Ｓ５．発熱素子１００を電子タバコの駆動回路に溶接または他の方法で接合する。
【００３７】
本発明による発熱素子の加工方法を実施することにより、次のような効果を得ることができる。発熱素子１００は、大量生産によっても安定した抵抗値とばらつきのない品質が得られる。メッキ層１２３、第１の接続端１２１、および第２の接続端１２２は、溶接やかしめなどの複雑な技術を用いることなく、一体に設計されている。メッキ層１２３は低抵抗の金属または合金の電気メッキにより形成されているので、接続部１２０はごく低い抵抗値を有する。接続部１２０に形成されたメッキ層１２３の存在により、接続部１２０を電子タバコの他の部分（例えば駆動回路）と比較的容易に溶接することができる。電気メッキは充分に進化した技術に属するので、本発明による発熱素子の加工方法は、電子タバコとそれに関連する製品の生産効率を改善し、電子タバコの生産コストを低減することができる。
【００３８】
上記の説明に基づきなされるさまざまな変更、改変、および修正が添付の請求項に定義される本発明の範囲に含まれることは、当業者には当然に理解されるところである。
【図１】
2016507137.tif 000003
【図２】
2016507137.tif 000004
【図３】
2016507137.tif 000005
【図４】
2016507137.tif 000006
【図５】
2016507137.tif 000007
【図６】
2016507137.tif 000008
【図７】
2016507137.tif 000009
【手続補正書】
【提出日】平成27年10月13日(2015.10.13)
【手続補正１】
【補正対象書類名】明細書
【補正対象項目名】全文
【補正方法】変更
【補正の内容】
【発明の詳細な説明】
【技術分野】
【０００１】
本発明は、喫煙セットの技術分野に関し、より具体的には発熱素子、発熱素子を使用した電子タバコ、および発熱素子の形成方法に関する。
【背景技術】
【０００２】
電子タバコの発熱素子は発熱部と接続部とを備え、発熱部は一般に高抵抗合金の発熱材（例えばニクロム、アルディローム、コンスタンタン合金など）からなり、発熱部は通電されると喫煙液を霧化して喫煙効果を生み出すものである。発熱素子の接続部は駆動回路との電気的接続に用いられる。接続部は一般に銅の導電体からなり、発熱部に溶接またはかしめにより接合される。例えば、図１は発熱部１と接続部２がかしめ接合された状態を示し、図２は発熱部１と接続部２が溶接により接合された状態を示す。また、中国特許出願第２０１０２０２８０８６１.７号「電子タバコの発熱装置」においては、発熱ワイヤ（発熱部に相当）と導電ワイヤ（接続部に相当）とがかしめ接合されている。
【０００３】
しかしながら、上記の溶接またはかしめ接合は、発熱素子の加工に複雑な工程を要し、量産時に発熱素子の抵抗値にばらつきが出やすい。しかも、発熱素子の溶接個所は酸化しやすく、発熱素子の溶接における接触抵抗値は比較的高くなる。
【発明の概要】
【０００４】
本発明の目的は、従来技術による電子タバコの発熱素子における複雑な加工工程や抵抗のばらつきといった問題点を解消するため、発熱素子、電子タバコ、および発熱素子の形成方法を提供するものである。
【０００５】
上記の技術的課題を解決するため本発明は、発熱部と接続部とを備え、該接続部は前記発熱部の両端に沿って延在して第１の接続端および第２の接続端を形成しており、前記第１の接続端および前記第２の接続端はそれぞれ駆動回路に接続されている発熱素子であって、前記第１の接続端および前記第２の接続端は前記発熱部と一体に形成され、前記第１の接続端および前記第２の接続端は各々低抵抗のメッキ層により外面を覆われている、発熱素子を提供する。
【０００６】
本発明の発熱素子において、前記発熱部、前記第１の接続端および前記第２の接続端は円形の断面を有する合金材料で形成され、前記第１の接続端および前記第２の接続端はそれぞれ前記発熱部の両端部に沿って軸方向に延在し、前記第１の接続端および前記第２の接続端の軸方向の延在距離は同じか又は異なり、螺旋形状を有する前記発熱部の対応する端部に位置するよう形成され、前記メッキ層は前記第１の接続端および前記第２の接続端を均一に覆うように前記第１の接続端および前記第２の接続端の径方向外側に向かって形成され、前記発熱部と前記第１の接続端との界面の断面寸法は前記発熱部と前記第２の接続端の界面の断面寸法と等しくてもよい。
【０００７】
本発明の発熱素子において、前記発熱部、前記第１の接続端および前記第２の接続端は、直線形状の合金材料により、多角形断面を有する帯状に形成され、前記第１の接続端および前記第２の接続端は前記発熱部の両端から水平方向に同じかまたは異なる距離にわたり軸方向に延在し、螺旋形状を有する前記発熱部の対応する端部に位置するよう形成され、前記メッキ層は前記第１の接続端および前記第２の接続端を均一に覆うように径方向外側に向かって形成され、前記発熱部と前記第１の接続端との界面の断面寸法は前記発熱部と前記第２の接続端の界面の断面寸法と等しくてもよい。
【０００８】
本発明の発熱素子において、前記発熱部は、ニクロム、エコノメット、アルディローム、コンスタンタン合金を含む複数の合金の一つにより形成されていてもよい。
【０００９】
本発明の発熱素子において、前記メッキ層は、金、銀、銅、および錫のうち一つにより形成されていてもよい。
【００１０】
本発明の発熱素子において、前記メッキ層は、低抵抗の合金により形成されていてもよい。
【００１１】
本発明はまた、電子タバコであって、上記各項の発熱素子が前記電子タバコの霧化室に備えられている。
【００１２】
本発明はまた、下記のステップを備える発熱素子の形成方法を提供する：
Ａ．発熱部と、該発熱部の両端に沿って延在する第１の接続端および第２の接続端を有する接続部とを一体に形成し、
Ｂ．前記第１の接続端および前記第２の接続端の外面にそれぞれ低抵抗の被膜をメッキ形成し、
Ｃ．前記第１の接続端および前記第２の接続端をそれぞれ駆動回路に接続する。
【００１３】
前記発熱素子の形成方法において、ステップＡは以下の工程をさらに含んでもよい：
Ａ１．高抵抗の合金材料を選択し、
Ａ２．選択した合金材料を個片に切断し、
Ａ３．前記第１の接続端および前記第２の接続端を前記発熱部の両端にそれぞれ位置するように、前記発熱部、前記第１の接続端および前記第２の接続端を含む領域に、切断された合金材料の個片を分割する。
【００１４】
前記発熱素子の形成方法において、ステップＢは以下の工程をさらに含んでもよい：
Ｂ１．低抵抗の材料を用いて前記第１の接続端および前記第２の接続端に電気メッキを行い、前記第１の接続端および前記第２の接続端の外面にメッキ層を均一に形成し、
Ｂ２．電気メッキされた合金材料に曲げ加工を行って前記発熱部を螺旋形状に形成し、前記第１の接続端および前記第２の接続端を前記螺旋状発熱部の両端部にそれぞれ対応させ、前記第１の接続端と前記螺旋状発熱部の対応する端部との距離を、前記第２の接続端と前記螺旋状発熱部の対応する端部との距離と同じかまたは異なるよう形成する。
【００１５】
本発明を実施することにより、次のような効果を得ることができる。本発明による発熱素子は、溶接やかしめなどの複雑な技術を用いることなく、一体に設計されている。メッキ層は電気メッキにより形成されているので、電子タバコの生産効率が大きく改善され、量産された発熱素子において安定した抵抗値が得られるため、大量生産によってもばらつきのない品質が得られる。さらに、メッキ層は低抵抗の金属または合金で形成されているので、発熱素子の接続部は充分に低い抵抗値を有する。
【図面の簡単な説明】
【００１６】
【図１】従来技術による発熱部と接続部のかしめ接合を示す模式図である。
【図２】従来技術による発熱部と接続部の溶接接合を示す模式図である。
【図３】本発明の好適な実施形態による発熱素子の構造を示す模式図である。
【図４】曲げ加工前の発熱素子の構造を示す模式図である。
【図５】電気メッキ前の発熱素子の構造を示す模式図である。
【図６】本発明の別の実施形態を示す模式図である。
【図７】本発明による電子タバコを示す模式図である。
【発明を実施するための形態】
【００１７】
図３を参照すると、本発明による発熱素子１００は発熱部１１０と接続部１２０とを備え、接続部１２０は発熱部１１０の両端から延在して第１の接続端１２１と第２の接続端１２２とを形成し、また接続部１２０は発熱部１１０に電力を供給するよう駆動回路（不図示）に電気的に接続されている。発熱部１１０は通電されると喫煙液を霧化するものである。第１の接続端１２１および第２の接続端１２２は各々、接続端１２１、１２２の外周面を覆うメッキ層１２３を有し、当該メッキ層１２３は低抵抗の単一金属または低抵抗の合金の電気メッキにより形成されている。
【００１８】
本発明においては、発熱部１１０、第１の接続端１２１、および第２の接続端１２２は高抵抗の同じ合金材料、例えばニクロム、エコノメット、アルディローム、または６Ｊ４０やＣｒ２０Ｎｉ８０などのコンスタンタン合金から一体に形成されている。
【００１９】
本実施形態において、発熱部１１０、第１の接続端１２１、および第２の接続端１２２はすべてフィラメント状であり、好ましくは同一材料のワイヤストックから形成されている。発熱部１１０は螺旋形状に曲げ加工されており、第１の接続端１２１および第２の接続端１２２は発熱部１１０の両端から延びるように形成されている。
【００２０】
具体的には、本発明の好適な実施形態による発熱素子において、発熱部１１０、第１の接続端１２１、および第２の接続端１２２は合金材料から形成され円形の断面を有し、第１の接続端１２１および第２の接続端１２２は発熱部１１０の両端からそれぞれ軸方向に延在し、その延在距離は同じかまたは異なっており（異なる場合には二つの例がある：一つは第１の接続端１２１の延在距離が第２の接続端１２２の延在距離より長い場合、もう一つは第２の接続端１２２の延在距離が第１の接続端１２１の延在距離より長い場合である）、螺旋状発熱部１１０の両端にそれぞれ対応するよう形成されている。メッキ層１２３は第１および第２の接続端１２１、１２２を均一に覆うように径方向外側に向かって形成されており、発熱部１１０と第１の接続端１２１との界面の断面寸法は、発熱部１１０と第２の接続端１２２との界面の断面寸法と等しくなっている。
【００２１】
メッキ層１２３は、金、銀、銅、錫などの低抵抗金属、またはコルモノイやランタン・アルミニウム合金などの合金からなる低抵抗の材料を電気メッキすることにより形成され、本発明においては抵抗が２.５Χ１０-8Ω未満の材料を用いることとする。接続部１２０の抵抗値は、低抵抗のメッキ層１２３が形成されているため、非常に低くなっている。図３および図４に示すように、メッキ層１２３は発熱素子１００を曲げ加工する前に電気メッキにより形成することができる。本実施形態では、第１および第２の接続端１２１、１２２の外面全体がメッキ層１２３によって覆われる。
【００２２】
本発明の好適な実施形態では、第１および第２の接続端１２１、１２２の外面がメッキ層１２３によって、接続端１２１、１２２の双方において同じ厚さで均一に覆われる。メッキ層１２３と駆動回路（不図示）の溶接位置は固定されておらず、そのため接続部１２０と駆動回路の間の接触抵抗を安定させることができ、メッキ層１２３が駆動回路に溶接される位置が異なっていても、接続部１２０と駆動回路の間の接触抵抗は変動することがない。
【００２３】
本発明による発熱素子１００の形状は限定されない。発熱素子１００はフィラメント状、フレーク状または帯状でもよく、また断面形状は円形、楕円形、多角形（三角や矩形を含む）、あるいはどのような幾何形状でもよい。図６に示す例では、発熱素子１００はすべてフレーク状の発熱部１１０、第１の接続端１２１、および第２の接続端１２２を備え、メッキ層１２３は第１および第２の接続端１２１、１２２を覆っている。
【００２４】
さらに、本発明の別の実施形態による発熱素子では、発熱部１１０、第１の接続端１２１、および第２の接続端１２２は、合金材料から、多角形状の断面（矩形、三角形、六角形など）を有する帯状に形成されており、第１の接続端１２１および第２の接続端１２２は発熱部１１０の両端からそれぞれ水平方向に延在し、その延在距離は同じか、または二つの態様で異なっており（異なる場合には二つの例がある：一つは第１の接続端１２１の延在距離が第２の接続端１２２の延在距離より長い場合、もう一つは第２の接続端１２２の延在距離が第１の接続端１２１の延在距離より長い場合である）、螺旋状発熱部１１０の両端にそれぞれ対応するよう形成されている。メッキ層１２３は第１および第２の接続端１２１、１２２を均一に覆うように外周面に形成されており、発熱部１１０と第１の接続端１２１との界面の断面寸法は、発熱部１１０と第２の接続端１２２との界面の断面寸法と等しくなっている。
【００２５】
本発明はまた、上記の実施形態による発熱素子１００を用いた電子タバコを開示する。具体的には、前記電子タバコはシガレットホルダ２００、シガレットパイプ３００、およびシガレットパイプ３００の一端部に取り付けられたランプキャップ３１０を備える。シガレットパイプ３００にはバッテリー３２０が装填されている。本例では、電子タバコの構造の詳細な説明は省略する。
【００２６】
一端にシガレットホルダキャップ２２０を有するシガレットホルダ２００には霧化室２１０が設けられ、発熱素子１００は霧化室２１０内のシガレットホルダキャップ２２０側に設けられ、接続部１２０は霧化室２１０内のバッテリー３２０側に設けられている。接続部１２０の両端部はそれぞれ、溶接により駆動回路と電気的に接続されている。駆動回路とバッテリー３２０とは電気的に接続されている。接続部１２０を覆うメッキ層１２３の存在により、接続部１２０と電子タバコの他の部分とは、比較的容易に溶接できる。
【００２７】
本発明はまた、下記のステップを備える電子タバコ用の発熱素子の形成方法を提供する。
【００２８】
発熱部１１０と接続部１２０とを一体に形成する。接続部１２０は、第１の接続端１２１と第２の接続端１２２とを含む。第１の接続端１２１と第２の接続端１２２は、発熱部１１０の両端に沿って延在する。
【００２９】
第１および第２の接続端１２１、１２２の外面にそれぞれ低抵抗のメッキ層１２３を形成する。
【００３０】
第１および第２の接続端１２１、１２２をそれぞれ駆動回路に接続する。接続方法は溶接、かしめ、あるいは端子または固定具を用いた接続でもよく、具体的な接続方法は当該分野で周知の方法でよいので詳細な説明は省略する。
【００３１】
電子タバコ用の発熱素子の具体的な加工方法を、本発明の好適な実施形態に従い、さらに詳しく以下のとおり説明する。
【００３２】
Ｓ１．例えばニクロム、エコノメット、アルディローム、コンスタンタン合金などの高抵抗の合金材料を選択する。これらの多くは、フィラメント状またはフレーク状の汎用ワイヤストックであり、代表的には６Ｊ４０やＣｒ２０Ｎｉ８０などのコンスタンタン合金を利用できる。
【００３３】
Ｓ２．選択した合金材料を切断する。図５に示すとおり、曲げ加工前の発熱素子１００と同じ長さになるように合金材料を個片に切断する。
【００３４】
Ｓ３．切断された合金材料の個片を、発熱部１１０、第１の接続端１２１、および第２の接続端１２２とに分割し、第１の接続端１２１および第２の接続端１２２の外面にメッキ層１２３を電気メッキにて形成する。
【００３５】
Ｓ４．電気メッキされた合金材料に曲げ加工を行って発熱部１１０を螺旋形状に形成し、第１の接続端１２１および第２の接続端１２２を螺旋状発熱部１１０の両端部にそれぞれ対応させ、第１の接続端１２１と螺旋状発熱部１１０の対応する端部との距離を、第２の接続端１２２と螺旋状発熱部１１０の対応する端部との距離と等しくする。
【００３６】
Ｓ５．発熱素子１００を電子タバコの駆動回路に溶接または他の方法で接合する。
【００３７】
本発明による発熱素子の加工方法を実施することにより、次のような効果を得ることができる。発熱素子１００は、大量生産によっても安定した抵抗値とばらつきのない品質が得られる。メッキ層１２３、第１の接続端１２１、および第２の接続端１２２は、溶接やかしめなどの複雑な技術を用いることなく、一体に設計されている。メッキ層１２３は低抵抗の金属または合金の電気メッキにより形成されているので、接続部１２０はごく低い抵抗値を有する。接続部１２０に形成されたメッキ層１２３の存在により、接続部１２０を電子タバコの他の部分（例えば駆動回路）と比較的容易に溶接することができる。電気メッキは充分に進化した技術に属するので、本発明による発熱素子の加工方法は、電子タバコとそれに関連する製品の生産効率を改善し、電子タバコの生産コストを低減することができる。
【００３８】
上記の説明に基づきなされるさまざまな変更、改変、および修正が添付の請求項に定義される本発明の範囲に含まれることは、当業者には当然に理解されるところである。
【手続補正２】
【補正対象書類名】図面
【補正対象項目名】全図
【補正方法】変更
【補正の内容】
【図１】
2016507137.tif 000010
【図２】
2016507137.tif 000011
【図３】
2016507137.tif 000012
【図４】
2016507137.tif 000013
【図５】
2016507137.tif 000014
【図６】
2016507137.tif 000015
【図７】
2016507137.tif 000016
【国際調査報告】
2016507137.tif 000017
2016507137.tif 000018
2016507137.tif 000019
2016507137.tif 000020
2016507137.tif 000021
2016507137.tif 000022